(57)【要約】【課題】ラジオ放送のチャンネルの選局中にＥＰＧ情報等の有用な情報を表示できなかった。【解決手段】テレビ放送信号およびラジオ放送信号をそれぞれ受信可能であり、ラジオ放送のチャンネルを選局した場合にはテレビ放送の映像を表示するための表示装置に対する電源供給を停止するデジタルテレビジョンにおいて、上記表示装置とは別の第２表示装置を備え、受信した放送信号に含まれている電子番組ガイド情報と選局されたチャンネル情報との両方または一方を第２表示装置に表示させる表示制御手段を備える構成とする。【選択図】図１
2008167263.tif 000002
【特許請求の範囲】
【請求項１】
テレビ放送信号およびラジオ放送信号をそれぞれ受信可能であり、テレビ放送のチャンネルを選局した場合には選局したチャンネルにかかる映像信号に基づく映像を本体前面に備えた表示装置に表示するとともに選局したチャンネルにかかる音声信号に基づく音声を本体に備えたスピーカから出力し、ラジオ放送のチャンネルを選局した場合には選局したチャンネルにかかる音声信号に基づく音声を上記スピーカから出力するとともに上記表示装置に対する電源供給を停止するデジタルテレビジョンにおいて、
上記表示装置よりも画面サイズが小型であり駆動に要する消費電力が少なくかつ白黒表示である第２表示装置を上記本体前面において上記表示装置の下方位置に備え、
選局された放送のチャンネル情報を第２表示装置に表示させるとともに、外部からの指示に応じて放送信号に含まれている電子番組ガイド情報を第２表示装置に表示させる表示制御部であって、ラジオ放送についての電子番組ガイド情報の表示の指示を受けた場合には、第２表示装置に複数のラジオ放送のチャンネルの番組情報を列挙表示させ、列挙表示した各チャンネルの番組情報のうちいずれか一つを選択する指示を受けた場合には、さらなる詳細表示の指示に応じて上記選択された番組情報をスクロールあるいは拡大して上記列挙表示よりも詳細な情報を第２表示装置に表示させる上記表示制御部を備えることを特徴とするデジタルテレビジョン
【請求項２】
テレビ放送信号およびラジオ放送信号をそれぞれ受信可能であり、ラジオ放送のチャンネルを選局した場合にはテレビ放送の映像を表示するための表示装置に対する電源供給を停止するデジタルテレビジョンにおいて、
上記表示装置とは別の第２表示装置を備え、
受信した放送信号に含まれている電子番組ガイド情報と選局されたチャンネル情報との両方または一方を第２表示装置に表示させる表示制御手段を備えることを特徴とするデジタルテレビジョン
【請求項３】
上記第２表示装置は上記表示装置よりも、画面サイズが小型でありかつ駆動に要する消費電力が少ないことを特徴とする請求項２に記載のデジタルテレビジョン
【請求項４】
上記表示制御手段は、電子番組ガイド情報の表示の指示を受けた場合には、第２表示装置に複数のチャンネルの番組情報を列挙表示させ、列挙表示した各チャンネルの番組情報のうちいずれか一つを選択する指示を受けた場合には、さらなる詳細表示の指示に応じて上記選択された番組情報をスクロールあるいは拡大して上記列挙表示よりも詳細な情報を第２表示装置に表示させることを特徴とする請求項２または請求項３のいずれかに記載のデジタルテレビジョン
【発明の詳細な説明】
【技術分野】
【０００１】
本発明は、デジタルテレビジョンに関する。
【背景技術】
【０００２】
従来より、音声のみのラジオ放送が選択受信された場合は、バックライト光源を完全に消灯して消費電力を削減したり、画面の一部領域に対応する光源のみ点灯させて当該領域に音声のみのラジオ放送を受信中であることを示すＯＳＤ表示を行なうテレビ受像機が知られている（特許文献１参照。）。
また、ラジオ番組が選局されている場合に、表示デバイスへの電力供給を停止させる制御手段を備えるデジタルテレビ放送受信機が知られている（特許文献２参照。）。
さらに、ディスプレイに映像を表示する第１チャンネルとディスプレイに映像を表示しない第２チャンネルとを含むデジタル放送を受信するテレビ受像機において、第２チャンネルが選択されたときディスプレイの電源をオフする手段を備えるテレビ受像機が知られている（特許文献３参照。）。
【特許文献１】特開２００６‐２１０９６９号公報
【特許文献２】特開２００３‐１０１９０４号公報
【特許文献３】特開２００５‐１４３１３０号公報
【発明の開示】
【発明が解決しようとする課題】
【０００３】
従来技術においては、ラジオ放送の受信時にテレビ受像機のディスプレイ（表示装置）への電力供給を停止することで消費電力の削減を行なっている。
ここで近年、デジタルラジオ放送信号には電子番組ガイド（ＥＰＧ：Electronic Program Guide）情報と呼ばれる番組情報がデータとして含まれており、当該ＥＰＧ情報はテレビ等の受信側において目に見える形で表示することによりラジオ番組を聞くユーザの利便性を向上させる。しかし、従来のようにラジオ放送の受信時にディスプレイを消灯すると、ＥＰＧ情報などユーザにとって有用な情報を提示できないという問題があった。
また上記文献１のように、ラジオ放送の受信時に画面の一部領域だけ点灯させてＯＳＤ表示を行なうと、テレビ放送の視聴に普段用いられる当該画面の一部に焼き付きを発生させうるという問題がある。
【０００４】
また、テレビ番組についてのＥＰＧ情報も存在するが、テレビ番組の視聴時にそのＥＰＧ情報を画面に表示すると、本来の視聴対象である番組映像を表示できる範囲が狭くなり、窮屈な映像表示となっていた。
【０００５】
本発明は上記課題に鑑みてなされたもので、消費電力の低減と、テレビ番組やラジオ番組に関する有用な情報の確実な提供と、テレビ番組の視聴時の快適性との全てを実現するデジタルテレビジョンを提供することを目的とする。
【課題を解決するための手段】
【０００６】
上記目的を達成するために、本発明のデジタルテレビジョンは、テレビ放送信号およびラジオ放送信号をそれぞれ受信可能であり、また、ラジオ放送のチャンネルを選局した場合にはテレビ放送の映像を表示するための表示装置に対する電源供給を停止する。当該デジタルテレビジョンは、上記表示装置（便宜上、第１表示装置と称する。）とは別の第２表示装置を備え、また、表示制御手段は、上記受信した放送信号に含まれている電子番組ガイド情報と選局されたチャンネル情報との両方または一方を第２表示装置に表示させる。
【０００７】
すなわち本発明によれば、電子番組ガイド情報やチャンネル情報などは、第１表示装置とは別の第２表示装置に表示するので、デジタルテレビジョンの電力消費低減のためにラジオ放送の選局中は第１表示装置への電力供給を停止している場合でも、ラジオ放送にかかる電子番組ガイド情報やチャンネル情報を外部に対して提示することができる。また、テレビ放送の映像を表示するための第１表示装置の画面の一部領域だけを点灯して電子番組ガイド情報やチャンネル情報を表示することはないため、第１表示装置の画面にこれら情報の表示を原因とする焼き付きも生じない。また、テレビ放送の視聴時においても、テレビ放送にかかる電子番組ガイド情報やチャンネル情報は第２表示装置に表示されるため、視聴対象であるテレビ番組の映像を第１表示装置の画面全体を使って表示でき映像の視聴の快適性が保たれる。
【０００８】
第２表示装置にはテレビ番組の映像は表示しないため、電子番組ガイド情報やチャンネル情報といった主に文字からなる情報を表示できさえすればよい。また、デジタルテレビジョン全体での電力消費をできるだけ低減する必要がある。そこで、第２表示装置としては、第１表示装置よりも画面サイズが小型でありかつ駆動に要する消費電力が少ないものを採用するのが好適である。
【０００９】
ここで、表示制御手段は、電子番組ガイド情報の表示の指示を受けた場合には、第２表示装置に複数のチャンネルの番組情報を列挙表示させる。そして、列挙表示した各チャンネルの番組情報のうちいずれか一つを選択する指示を受けた場合には、さらなる詳細表示の指示に応じて、上記選択された番組情報をスクロールあるいは拡大して上記列挙表示よりも詳細な情報を第２表示装置に表示させる。当該構成によれば、ユーザは、第２表示装置に列挙表示させた各チャンネルの番組情報から所望の番組情報を選択できるとともに、選択した番組情報のより詳細な内容を第２表示装置に表示させることができ、各チャンネルの番組情報を快適に閲覧することができる。
【００１０】
上記各構成を踏まえ、テレビ放送信号およびラジオ放送信号をそれぞれ受信可能であり、テレビ放送のチャンネルを選局した場合には選局したチャンネルにかかる映像信号に基づく映像を本体前面に備えた表示装置に表示するとともに選局したチャンネルにかかる音声信号に基づく音声を本体に備えたスピーカから出力し、ラジオ放送のチャンネルを選局した場合には選局したチャンネルにかかる音声信号に基づく音声を上記スピーカから出力するとともに上記表示装置に対する電源供給を停止するデジタルテレビジョンにおいて、上記表示装置よりも画面サイズが小型であり駆動に要する消費電力が少なくかつ白黒表示である第２表示装置を上記本体前面において上記表示装置の下方位置に備え、選局された放送のチャンネル情報を第２表示装置に表示させるとともに、外部からの指示に応じて放送信号に含まれている電子番組ガイド情報を第２表示装置に表示させる表示制御部であって、ラジオ放送についての電子番組ガイド情報の表示の指示を受けた場合には、第２表示装置に複数のラジオ放送のチャンネルの番組情報を列挙表示させ、列挙表示した各チャンネルの番組情報のうちいずれか一つを選択する指示を受けた場合には、さらなる詳細表示の指示に応じて上記選択された番組情報をスクロールあるいは拡大して上記列挙表示よりも詳細な情報を第２表示装置に表示させる上記表示制御部を備える構成を把握することができる。
かかるより具体的な構成によっても、上述した各デジタルテレビジョンと同様の作用および効果を発揮する。
【発明を実施するための最良の形態】
【００１１】
以下では、図面を参照しながら本発明の実施形態を説明する。
図１は、本実施形態にかかるデジタルテレビジョン（以下、ＴＶと称する。）１６０の概略構成をブロック図により示している。
ＴＶ１６０においては、チューナ部２０が、アンテナ１０を介してデジタルテレビ放送信号やデジタルラジオ放送信号を受信するとともに、マイクロコンピュータ（以下、マイコンと称する。）４０によって指定された周波数の放送信号を抽出する。チューナ部２０は、この放送信号に対して復調処理および誤り訂正処理を施した上で、信号処理部３０に出力する。
【００１２】
信号処理部３０は、デスクランブル回路と、デマルチプレックス回路と、デコード回路とを備える。チューナ部２０から出力された信号にはスクランブルが掛けられている場合があるため、デスクランブル回路はこのスクランブルを解除する処理を行なう。スクランブルが解除された信号は、映像信号や音声信号や各種データが多重された状態にあるため、デマルチプレックス部は、マイコン４０によって指定された選局対象のチャンネル（テレビ放送またはラジオ放送のチャンネル）に対応する映像信号および音声信号（ラジオ放送の場合は音声信号のみ）を当該信号から抽出する。抽出された映像信号や音声信号はＭＰＥＧ規格に従って符号化（エンコード）された状態のままである。そこで、デコード部４０は、映像信号や音声信号をＭＰＥＧ規格に従って復号化（デコード）する。
【００１３】
信号処理部３０は、復号化した映像信号を映像信号処理部９０に出力する。映像信号処理部９０は、入力された映像信号に対して、表示パネル１１０（第１表示装置）の画素数に応じたスケーリング処理や、色補正処理、エッジ強調処理などを実行し、かかる処理後の映像信号をパネル駆動部１００に出力する。パネル駆動部１００は、表示パネル１１０の駆動回路であり、入力された映像信号に基づいて表示パネル１１０を駆動して当該表示パネル１１０に映像を表示させる。その結果、上記選局対象のチャンネルに対応したテレビ番組の映像が表示される。表示パネル１１０としては、大型の液晶パネルやプラズマディスプレイパネル（ＰＤＰ）を採用することができる。
【００１４】
また、信号処理部３０は、復号化した音声信号を音声Ｄ／Ａ変換部６０に出力する。音声Ｄ／Ａ変換部６０は供給された音声信号をアナログ音声信号に変換し、音声信号増幅部７０に出力する。音声信号増幅部７０は供給されたアナログ音声信号を増幅した上でスピーカ８０に供給する。その結果、スピーカ８０から上記選局対象のチャンネルに対応したテレビ番組またはラジオ番組の音声が出力される。
【００１５】
さらにＴＶ１６０は、表示パネル１１０とは別の小型表示パネル１４０（第２表示装置）と、小型表示パネル１４０に所定の文字情報等を表示させるための回路としてのＥＰＧデータ変換部１２０および小型パネル駆動部１３０を有している。小型表示パネル１４０は、表示パネル１１０よりも、画素数が少なくかつ消費電力も低いタイプの小型の液晶パネルとすることができる。本実施形態においては、小型表示パネル１４０は、カラー表示機ではなく白黒表示機とし、できるだけ安価なものを使用している。
【００１６】
ＥＰＧデータ変換部１２０は、チャンネル情報を表示するための画像データやＥＰＧ情報を表示するための画像データを信号処理部３０から取得するとともに、この画像データに対して小型表示パネル１４０の画素数に応じたスケーリング処理を行なった上で小型パネル駆動部１３０に出力する。小型パネル駆動部１３０は、入力した画像データに基づいて小型表示パネル１４０を駆動することにより、チャンネル情報やＥＰＧ情報を小型表示パネル１４０の画面に表示させる。
【００１７】
電源回路５０は、外部からＡＣ電圧の供給を受けるとともにＡＣ電圧をＤＣ電圧に変換した上で、マイコン４０を始めＴＶ１６０を構成する各部に対して必要な電源を供給する。マイコン４０は、チューナ部２０、信号処理部３０、電源回路５０を始め、図では省略しているが、音声Ｄ／Ａ変換部６０、音声信号増幅部７０、映像信号処理部９０、パネル駆動部１００、ＥＰＧデータ変換部１２０、小型パネル駆動部１３０等と接続し、所定の制御プログラムに基づいて接続先の各部をコントロールする。またマイコン４０は、ＴＶ１６０本体の表面に設けられた不図示の操作キーや、外部の不図示のリモートコントロール（以下、リモコンと称する。）装置から入力される各種指示信号を検知することが可能であり、選局対象とすべきチャンネルもかかる指示信号に基づいて認識する。
【００１８】
図２は、ＴＶ１６０の外観を正面図により示している。
ＴＶ１６０は、本体１６１と、本体１６１を支持するスタンド部１６２とからなる。本体１６１の前面１６１ａには一般のテレビジョンと同様に表示パネル１１０が備えられている。そして、前面１６１ａにおける表示パネル１１０の下方側の左右位置には、スピーカ８０が配設されているとともに、左右のスピーカ８０の略中間位置には、小型表示パネル１４０が備えられている。ＴＶ１６０はかかる構成を採ることにより、テレビ番組の映像は表示パネル１１０に表示し、チャンネル情報やＥＰＧ情報は小型表示パネル１４０に表示する。
【００１９】
次に、ＴＶ１６０における電源供給処理について説明する。
図３は、電源回路５０の内部をブロック図により示している。電源回路５０は、同図の一点鎖線で示すように、ＡＣ電圧をＤＣ電圧に変換するＡＣ‐ＤＣ変換回路５１の出力側に、表示パネル用電源回路５２と小型パネル用電源回路５３と信号処理用電源回路５４とスタンバイ電源回路５５とが並列に接続している。表示パネル用電源回路５２は、供給されたＤＣ電圧を変圧して適切な電圧値とした上で、映像信号処理部９０、パネル駆動部１００および表示パネル１１０にそれぞれ電源を供給するものであり、小型パネル用電源回路５３は、供給されたＤＣ電圧を変圧して適切な電圧値とした上で、小型パネル駆動部１３０および小型表示パネル１４０にそれぞれ電源を供給するものである。
【００２０】
信号処理用電源回路５４は、供給されたＤＣ電圧を変圧して適切な電圧値とした上で、チューナ部２０、信号処理部３０、音声Ｄ／Ａ変換部６０、音声信号増幅部７０、スピーカ８０、ＥＰＧデータ変換部１２０にそれぞれ電源を供給するものであり、スタンバイ電源回路５５は、供給されたＤＣ電圧を変圧して適切な電圧値とした上で、マイコン４０および本体１６１が前面１６１ａの所定位置に備えるリモートコントロール信号（赤外線信号）受光部（不図示）にそれぞれ電源を供給するものである。なお、表示パネル１１０や小型表示パネル１４０が液晶パネルである場合には、表示パネル用電源回路５２は、表示パネル１１０のバックライトへも電源を供給し、小型パネル用電源回路５３は、小型表示パネル１４０のバックライトへも電源を供給する役割を果たす。
この電源回路５０から各部への電源供給はマイコン４０によって制御する。
【００２１】
図４は、マイコン４０が実行する電源供給制御処理の内容を表にしている。
ＴＶ１６０の状態は、スタンバイ時、ラジオチャンネル選局中、テレビチャンネル選局中の３つの状態に分けられる。マイコン４０は常に上記３つの状態のいずれの状態であるかを判断し、そのときの状態に応じた電源供給を電源回路５０に実行させる。スタンバイ時とは、ＴＶ１６０が外部からの電源供給を受けつつも起動していない状態であり、待機状態とも言う。ラジオチャンネル選局中とは、複数あるテレビ放送のチャンネルおよびラジオ放送のチャンネルのうちラジオ放送にかかるいずれかのチャンネルを選局して当該選局したチャンネルにかかるラジオ番組を出力している状態であり、テレビチャンネル選局中とは、テレビ放送にかかるいずれかのチャンネルを選局して当該選局したチャンネルにかかるテレビ番組を出力している状態である。上記３つの状態のいずれであるかは、上記操作キーやリモコン装置から入力される電源ＯＮ・ＯＦＦの指示信号や、チャンネル切り替えの指示信号に基づいて判断することができる。
【００２２】
スタンバイ時においては、マイコン４０は表示パネル用電源回路５２からの電源供給（出力１）、小型パネル用電源回路５３からの電源供給（出力２）、信号処理用電源回路５４からの電源供給（出力３）を停止することを電源回路５０に指示し、出力１，２，３を停止させる。スタンバイ時であってもスタンバイ電源回路５５からマイコン４０に電源が供給されている（出力４）ため、マイコン４０は当該指示を行なうことができる。ラジオチャンネル選局中においては、マイコン４０は、出力１〜４のうち出力１のみ停止することを電源回路５０に指示し、出力１のみを停止させる。つまり、ラジオチャンネル選局中においては、表示パネル用電源回路５２からの電源供給を停止させ、表示パネル１１０を稼動させないようにする。テレビチャンネル選局中においては、出力１〜４のいずれも停止させない。
【００２３】
ＴＶ１６０は、上記のようにラジオチャンネルを選局している期間は表示パネル１１０に映像を表示するために必要な電源の供給を停止する処理を行なっているが、これに加え、ラジオチャンネル選局中もテレビチャンネル選局中も、チャンネル情報とＥＰＧ情報は小型表示パネル１４０に表示する。言い換えれば、本発明ではチャンネル情報とＥＰＧ情報を表示パネル１１０に表示することはない。
【００２４】
チャンネル情報には、チャンネル番号（数字）やチャンネル名（放送局名）が含まれる。ここで、チャンネル番号だけを小型表示パネル１４０に表示する場合は、チャンネル番号をＯＳＤ（On Screen Display）表示する。
具体的には、マイコン４０は、上記操作キーやリモコン装置から、あるチャンネルを選局対象とすべきことを指示する指示信号（選局指示信号）を受けたら、この選局指示信号が指示するチャンネルにかかるテレビ放送信号またはラジオ放送信号の受信から、映像信号および音声信号（或いは音声信号のみ）の映像信号処理部９０および音声Ｄ／Ａ変換部６０（或いは音声Ｄ／Ａ変換部６０のみ）への出力までの処理を、チューナ部２０および信号処理部３０に実行させる。また、かかる処理と並行して、信号処理部３０に対し、選局指示信号が指示するチャンネル番号を小型表示パネル１４０にＯＳＤ表示することを指示する。すると、信号処理部３０は、選局指示信号が指示するチャンネル番号を表した画像データを生成し、この画像データをＥＰＧ変換部１２０に出力する。その結果、選局指示信号が指示するチャンネル番号が小型表示パネル１４０に表示される。
【００２５】
次に、ＥＰＧ情報の小型表示パネル１４０への表示処理について説明する。
図５は、ＥＰＧ情報表示処理の内容をフローチャートにより示している。
ステップＳ（以下、ステップの記載を省略。）３００では、マイコン４０は、ＥＰＧ情報の表示指示を受け付けたか否か監視する。ユーザは、所望のタイミングで上記操作キーやリモコン装置を操作することにより、テレビ放送についてのＥＰＧ情報やラジオ放送についてのＥＰＧ情報の表示指示を入力することができ、マイコン４０は当該表示指示を受け付けた場合に、Ｓ３１０以下の処理に移る。
【００２６】
以下では、マイコン４０が、ラジオ放送についてのＥＰＧ情報の表示指示を受け付けた場合を例に、ＥＰＧ情報の表示処理を説明する。
Ｓ３１０では、ＴＶ１６０は、小型表示パネル１４０に、複数のチャンネルのラジオ放送の番組情報を列挙したＥＰＧ情報の表示（列挙表示）を行なう。この処理について具体的に説明する。ＴＶ１６０が受信するデジタル放送信号には映像や音声のほかに各種データが重畳されている。デジタル放送信号には、番組配列情報（ＳＩ：Service Information）というデータが含まれており、このＳＩの一種としてＥＩＴ（Event Information Table）というテーブルデータや、ＳＤＴ（Service Description Table）というテーブルデータが存在する。ＥＩＴには、各チャンネルの各番組のタイトルや放送日時や内容等の情報が記述されている。ＳＤＴには、デジタル放送信号中に含まれる各番組（サービス）のチャンネル名や、サービスのタイプ（テレビ番組であるかラジオ番組であるか等のタイプ）が記述されている。
【００２７】
マイコン４０は上記Ｓ３１０において、信号処理部３０に、チューナ部２０から出力された信号からＥＩＴおよびＳＤＴを抽出させ、この抽出したＥＩＴおよびＳＤＴに記述されている情報に基づいて上記列挙表示のための画像データを生成させ、この画像データをＥＰＧデータ変換部１２０に出力させる。この結果、小型表示パネル１４０に、上記ＥＰＧ情報の表示を行なうことができる。
【００２８】
図６は、小型表示パネル１４０に表示するＥＰＧ情報の例を示している。
図６（ａ）は、上記列挙表示の例を示している。当該（ａ）では、各チャンネルの番組情報は、チャンネル番号と、チャンネル名（放送局名）と、番組タイトルとから構成されており、これが複数チャンネル分列挙されている。また、当該列挙表示においては、一つのチャンネルの番組情報を枠で囲って表示しカーソル位置を示している。
【００２９】
上記列挙表示中においては、マイコン４０は上記枠の移動指示を受け付けたか否かを監視し（Ｓ３２０）、受け付けた場合には、マイコン４０は、当該移動指示に従って上記枠の表示位置を列挙表示されている別のチャンネルの番組情報に移動させる画像処理を行なうことを信号処理部３０に指示し、枠の表示位置を移動させる（Ｓ３３０）。つまり、ユーザが図６（ａ）の列挙表示を見ながらリモコン装置などを操作することで、枠の表示位置を移動させることを指示したら、ＴＶ１６０側ではこの指示に応じて枠で囲み表示するチャンネルを変更する。図６（ｄ）では、枠が移動したことを示している。図６（ａ）と（ｄ）を比較すると、（ａ）において選択されていたチャンネルから一段下に列挙表示されているチャンネルに枠が移動したことが判る。
【００３０】
上記列挙表示中においては、マイコン４０は、枠で囲み表示している番組情報の横スクロール指示を受け付けたか否か監視し（Ｓ３４０）、受け付けた場合には、マイコン４０は、当該横スクロール指示に従ってその時点で枠で囲み表示している番組情報を横スクロールして更なる詳細な番組情報を表示させる画像処理を行なうことを信号処理部３０に指示し、より詳細な番組情報の提示を実現させる（Ｓ３５０）。複数のチャンネルについて番組情報を列挙表示しているため、一画面で表示できる情報量には限界がある。その一方、上記ＥＩＴやＳＤＴには多種の番組情報が記述されているため、ＴＶ１６０は、ユーザからの横スクロールの求めに応じ、その時点で枠で囲み表示しているチャンネルの番組情報を横スクロールしてそのチャンネルに対応する更なる詳細な番組情報を提示する。図６（ｂ）は、（ａ）において枠で囲み表示している番組情報を、画面全体としては列挙表示のまま、横スクロール表示している様子を示している。
【００３１】
上記列挙表示中においては、マイコン４０は、枠で囲み表示している番組情報の決定指示を受け付けたか否か監視し（Ｓ３６０）、受け付けた場合には、マイコン４０は、当該決定指示に従ってその時点で枠で囲み表示しているチャンネルの番組情報を小型表示パネル１４０の画面全体に拡大して詳細に表示させる画像処理を行なうことを信号処理部３０に指示し、より詳細な番組情報の提示を実現させる（Ｓ３７０）。図６（ｃ）は、拡大表示を小型表示パネル１４０に行なった場合を示している。なお、当該決定指示は、ユーザによる選局対象のチャンネルの決定を意味する。従って、マイコン４０は、当該決定指示を受けたチャンネルを選局対象として認識し、チューナ部２０および信号処理部３０に、この選局対象のチャンネルにかかるラジオ放送の受信および音声信号の出力処理を指示する。
【００３２】
Ｓ３７０において拡大表示を行なった場合、マイコン４０は、画面表示を元に戻すことを指示する戻り指示を受け付けたか否か監視し（Ｓ３８０）、受け付けた場合には、マイコン４０は、当該拡大表示の直前に表示していた列挙表示に戻す画像処理を行なうことを信号処理部３０に指示し、当該拡大表示の直前に表示していた画面表示に戻させる（Ｓ３９０）。
なおマイコン４０は、Ｓ３１０以降においては、小型表示パネル１４０へのＥＰＧ情報の表示処理を終了することを指示する終了指示信号を受けつけたときには、その時点での表示の状況にかかわらずＥＰＧ情報表示処理を終了させる。
【００３３】
このように本発明によれば、ＴＶ１６０は、普段テレビ番組の視聴に用いられる大型の画面（表示パネル１１０）とは別に、チャンネル情報およびＥＰＧ情報の表示専用として、消費電力量の少ない小型表示パネル１４０を備える。そのため、ラジオ番組を受信して音声を出力するときに、表示パネル１１０への電源供給を停止して表示パネル１１０を駆動させないようにするだけでなく、ラジオ放送にかかるチャンネル情報やＥＰＧ情報を小型表示パネル１４０に表示することができ、その結果、ＴＶ１６０全体における電力消費量の低減とユーザに対する有用な情報の提供とを両立することが可能となった。
【００３４】
また、テレビジョンによってラジオ番組を受信して聞くときにテレビ画面の大部分の領域の発光を止めつつ固定された一部領域に文字表示を行なう従来の手法では、テレビ画面の一部領域に焼き付きを起しやすく、テレビ番組の表示に用いられる当該テレビ画面の品質を低下させてしまっていたが、本発明では、テレビ番組の表示に用いる表示パネル１１０には上記チャンネル情報やＥＰＧ情報は表示させないため、表示パネル１１０を不要な焼き付きから守ることができる。
【００３５】
また、ＴＶ１６０によってテレビ番組を視聴するときでもチャンネル情報やＥＰＧ情報は小型表示パネル１４０に表示するため、ユーザが見ている番組の映像がチャンネル情報によって邪魔されたり、ＥＰＧ情報の表示によって狭められたりすることがなく、その結果、テレビ番組の映像とＥＰＧ情報との両方を非常に快適に見ることができる。
【図面の簡単な説明】
【００３６】
【図１】デジタルテレビジョンの概略構成を示したブロック図。
【図２】デジタルテレビジョンの外観正面図。
【図３】電源回路のブロック図。
【図４】電源供給制御処理の内容を示した図。
【図５】ＥＰＧ情報表示処理の内容を示したフローチャート。
【図６】小型表示パネルに表示するＥＰＧ情報の例を示した図。
【符号の説明】
【００３７】
２０…チューナ部
３０…信号処理部
４０…マイクロコンピュータ
５０…電源回路
８０…スピーカ
１００…パネル駆動部
１１０…表示パネル
１２０…ＥＰＧデータ変換部
１３０…小型パネル駆動部
１４０…小型表示パネル
１６０…デジタルテレビジョン
１６１…本体
１６１ａ…前面
【図１】
2008167263.tif 000003
【図２】
2008167263.tif 000004
【図３】
2008167263.tif 000005
【図４】
2008167263.tif 000006
【図５】
2008167263.tif 000007
【図６】
2008167263.tif 000008